(57)【要約】【課題】  鼻当パッドの位置角度を容易に調節可能なパッドアームを設けることにより、眼鏡を適正な装着場所に位置決めでき、かつ、パッド面を鼻梁にフィットさせることができるノーズパッドのパッド面位置角度調整機構を提供すること。【解決手段】  眼鏡のフロントフレーム１に接合されたノーズパッド２を加熱することによって塑性変形容易に可塑化する合成樹脂材料により作製し、かつ、このノーズパッド２のパッドアーム21には易加熱変形性を有する曲げ代部22を形成して、この曲げ代部22を加熱することによってノーズパッド２のパッド面23の位置角度を適宜に調節可能に構成するという技術的手段を採用した。【選択図】  図１
2006343433.tif 000002
【特許請求の範囲】
【請求項１】
眼鏡のフロントフレーム１に接合されたノーズパッド２が加熱することによって塑性変形容易に可塑化する合成樹脂材料により作製されており、かつ、このノーズパッド２のパッドアーム21には易加熱変形性を有する曲げ代部22が形成されて、この曲げ代部22を加熱することによってノーズパッド２のパッド面23の位置角度を適宜に調節可能に構成したことを特徴とする眼鏡におけるノーズパッドのパッド面位置角度調節機構。
【請求項２】
ノーズパッド２の曲げ代部22に貫通孔24が設けられて加熱により曲げ易く構成されていることを特徴とする請求項１記載のノーズパッドのパッド面位置角度調節機構。
【請求項３】
ノーズパッド２の曲げ代部22が、細かな屈曲が多数並んだ蛇腹形状であることを特徴とする請求項１または２に記載のノーズパッドのパッド面位置角度調節機構。
【請求項４】
ノーズパッド２におけるフロントフレーム１との接着部分が、フレーム角に適合する形状であり、フレーム１の背面及び外周面と面接着可能であることを特徴とする請求項１〜３の何れか一つに記載のノーズパッドのパッド面位置角度調節機構。
【請求項５】
ノーズパッド２におけるフロントフレーム１との接着部分に向けてパッドアーム21の幅厚が拡大されて形成されていることを特徴とする請求項１〜４の何れか一つに記載のノーズパッドのパッド面位置角度調節機構。
【発明の詳細な説明】
【技術分野】
【０００１】
本発明は、ノーズパッドの改良、詳しくは、パッドアームを熱可塑性樹脂で作製し、このパッドアームを加熱変形させてパッド面を容易に調節可能にしたノーズパッドのパッド面位置角度調節機構に関するものである。
【背景技術】
【０００２】
最近では、低コストで作製でき、なおかつ色彩や形状パターンにも富んだプラスチック製の眼鏡枠が人気を博している。そして従来、このようなプラスチック枠の多くは、図６で示すようにサドル型の突起Ｓをフロント枠の内側縁部分に設けることによって鼻当パッドを形成していた。
【０００３】
ところが、このサドル型パッドＳは枠とパッドが一体で構造も堅牢であったため、鼻当パッドの振り角と鼻の勾配とが合っていなくてもそれを修整することはできず、装用者は鼻が局部的に圧迫された状態で装用せざるを得なくなり、その結果、鼻側面に痛痒を伴う紅斑を生じさせていた。
【０００４】
そこで、眼鏡フレームの製造時において眼鏡注文者の鼻形状を、分類化した鼻型モデルから選択し、その選択した鼻型モデルに対応する接触面形に合わせてサドル型パッドＳを切削することにより装用感の優れた鼻当てパッドを得る方法（例えば、特許文献１参照）が提案された。
【０００５】
ところで、度入りレンズを使用する矯正用眼鏡では、眼鏡が高低どちらかに偏った状態や、水平でない状態等、装用者の視線の中心部とレンズの光学的中心とがズレた状態になると、視界の違和感や不快感を覚えさせる。また、これに限らず頂点間距離（角膜頂点とレンズ後面との距離）が遠過ぎると上下幅の少ないフレームでは視野が狭くなり、逆に距離が近過ぎると網膜上に適正に結像せず眼精疲労の原因となることもあり、睫毛と接触してレンズが汚れ易くもなる。それゆえ、装用前にはパッドの位置や角度を緻密に調節して眼鏡の装着位置を確定し、上記のような事態を回避しなければならない。
【０００６】
しかしながら、上記で挙げた従来のパッド作製方法では、サドル型パッドＳと鼻梁との接触を良好にするだけであり、パッドの位置や角度を個々人に合わせて緻密に調節し、眼鏡の装着位置を確定することができなかった。
【０００７】
また、上記方法によるとプラスチック枠の製造後は、鼻当パッドの調節が不可能であるため、眼鏡の使用者が変わる等、再調節が必要な状況であっても対応できず、非常に不便であった。
【特許文献１】特開平５−６１００５号公報  （第２−９頁、図１、２）
【発明の開示】
【発明が解決しようとする課題】
【０００８】
本発明は、上記の如き問題に鑑みて為されたものであり、その目的とするところは、鼻当パッドの位置角度を容易に調節可能なパッドアームを設けることにより、眼鏡を適正な装着場所に位置決めでき、かつ、パッド面を鼻梁にフィットさせることができるノーズパッドのパッド面位置角度調節機構を提供することにある。
【課題を解決するための手段】
【０００９】
本発明者が、上記課題を解決するために採用した手段を添付図面を参照して説明すれば次のとおりである。
【００１０】
即ち、本発明は、眼鏡のフロントフレーム１に接合されたノーズパッド２を加熱することによって塑性変形容易に可塑化する合成樹脂材料により作製し、かつ、このノーズパッド２のパッドアーム21には易加熱変形性を有する曲げ代部22を形成して、この曲げ代部22を加熱することによってパッドアーム21のパッド面23の位置角度を適宜に調節可能に構成するという技術的手段を採用した点に特徴がある。
【００１１】
また、本発明においては、上記課題を解決するために、必要に応じて上記手段に加え、ノーズパッド２の曲げ代部22に貫通孔24を設けて加熱により曲げ易く構成するという技術的手段を採用することができる。
【００１２】
また、本発明においては、上記課題を解決するために、必要に応じて上記手段に加え、ノーズパッド２の曲げ代部22を細かな屈曲が多数並んだ蛇腹形状に成形するという技術的手段を採用することができる。
【００１３】
また、本発明においては、上記課題を解決するために、必要に応じて上記手段に加え、ノーズパッド２におけるフロントフレーム１との接着部分を、フレーム角に適合する形状にして、フレーム1の背面及び外周面と面接着可能にするという技術的手段を採用することができる。
【００１４】
また、本発明においては、上記課題を解決するために、必要に応じて上記手段に加え、ノーズパッド２におけるフロントフレーム１との接着部分に向けてパッドアーム21の幅厚を拡大して形成するという手段を採用することができる。
【発明の効果】
【００１５】
本発明は、鼻当パッドと眼鏡枠との間に熱可塑性樹脂で作製したパッドアームを介していることから、パッドアームを軟化温度まで加熱して柔軟な状態にした後、適宜に変形操作すれば、鼻当パッドの角度位置を容易に変更することができる。
【００１６】
加えて、パッドアームには高面積の曲折部分が設けられているため加熱し易く、更にこの部位を屈伸変形させれば簡単にパッドアームの変形操作を行うこともできる。そして、パッドアームは冷やせば元の強固な性状に戻るため、形状が安定し、形態安定性が実現される。
【００１７】
しかも、上記のパッドアームに対する加熱変形は何度でも繰り返して行うことができるため、装用者は鼻にフィットするまで念入りに調節することができ、また、眼鏡の所有者が変わったとしても対応することができる。
【００１８】
そして、矯正用眼鏡においては、上記の操作により、眼鏡を適正な装用位置に確定することができるため、レンズの光学作用と視力とが調和した状態で装用でき、装用効果を最大限発揮させることができる。また、鼻梁にパッド面全体が満遍なく当接するように角度調節すれば、紅斑が生じて苦痛を感じることもない。
【００１９】
したがって、本発明により、苦痛を伴わずに眼鏡の効能を享受できる状態で眼鏡を装用できるようになることから、本発明の実用的利用価値は頗る高いと云える。
【発明を実施するための最良の形態】
【００２０】
本発明の実施形態を具体的に図示した図面に基いて更に詳細に説明すると次のとおりである。
【００２１】
『第１実施形態』
図中、符号１で指示するものは、レンズを保持する左右一対のリム11・11をブリッジ12により連結して構成しているフロントフレームである（図１参照）。本実施形態におけるフロントフレーム１には、合成樹脂製枠を採用する。
【００２２】
符号２で指示するものはノーズパッドであり、このノーズパッド２は、パッドアーム21に曲げ代部22を備え、かつ、この曲げ代部22の先にはパッド面23が外向きになるように接合されている（図２参照）。本実施形態では、加熱によって塑性変形する合成樹脂を材料として用いることができ、その合成樹脂素材に、強靱性及び成形性に優れ、軟化温度が約49〜98℃と比較的低いアセテート樹脂を採用する。
【００２３】
しかして、本実施形態におけるノーズパッドのパッド面位置角度調節機構の構成を以下に説明する。
【００２４】
まず、前記ノーズパッド２・２を、フロントフレーム１の左右リム11・11に接着固定する。この際に、ノーズパッド２におけるリム11との接着部分をリム11角に適合した形状にすれば、リム11の外周面及び背面の両方に接着でき、より強固に接着できる。加えて、接着部分がリム11角に適合していることにより、位置ずれを起こすことなくノーズパッド２をリム11に簡単に取り付けることができる。さらに、パッドアーム21の幅厚を上記の接着部分に向けて拡大した形状に成形することによって、リム11との接着面積を大きくし、接着強度を高めることができる。
【００２５】
そして、パッドアーム21には、加熱されたときの柔軟状態に軟化する領域である曲げ代部22を形成する。本実施形態においては、パッドアーム21に板状部材を使用し、パッド面23側をＵ字状に折曲するとともに、パッドアーム21の中間域はパッド面23側に屈曲した形状にする。これにより、パッドアーム21が加熱し易くなるだけでなく、これらの曲げ代部22を屈伸させてパッド面23の調節を簡単に行うことができる。
【００２６】
なお、本実施形態では、パッドアーム21の中間域に、アーム21に適度の剛さとバネ性を呈し得る貫通孔24を設け、アーム21を支柱状に形成して、アーム中間域の体積を軽減することにより、比較的低い加熱温度でもパッドアーム21を変形操作することができ、さらにその変形操作自体も省力化して行うことができる。また、両側の支柱を別向きに変形させればパッドアーム21を容易に捻り変形することが可能となり、パッド面23を横向きに調節し易くなる。
【００２７】
また、図３に示すように鼻梁にフィットするよう緩やかな曲面カーブを描いた形状にパッド面23を成形することによって、装着時に紅斑を生じさせないようにしている。
【００２８】
『第２実施形態』
次に、ノーズパッド２の曲げ代部22を蛇腹形状にした第２実施形態を以下に説明する（図４参照）。本実施形態では、曲げ代部22の屈曲をより細かにし、その屈曲を多数重ねて蛇腹状に成形する。これによって、曲折部分が多数形成されて曲げ代部22を前後に大きく屈伸変形させることができるため、パッド面23の調節範囲を拡大して様々な鼻形状に対応できるようになる。
【００２９】
本発明は、概ね上記のように構成されるが、本発明は、図示の実施形態に限定されるものでは決してなく、「特許請求の範囲」の記載内において種々の変更が可能であって、例えば、第１実施形態では、フロントフレーム１にレンズを全周的に保持するフルリム型を採用しているが、これは、ノーズパッド２が接着固定できればデザイン性に優れたハーフリム型を採用してもよい。
【００３０】
そして、曲げ代部22に設ける貫通孔24は必ずしも一つである必要はなく、例えば図５に示すように長円型の貫通孔24・24…を曲げ代部21に均等に割り付けて複数設けることで、パッドアーム21の全体の強度を維持できるようにしてもよい。勿論、貫通孔24の形状も長円形に限られず、適当な形状を選択することができる。
【００３１】
そしてまた、ノーズパッド２の素材に、アセテート樹脂に限らず眼鏡枠に使用されるセルロイド樹脂等の他の熱可塑性樹脂を代用してもよく、これらは何れも本発明の技術的範囲に属する。
【産業上の利用可能性】
【００３２】
最近では、需要者の嗜好の多様化に合わせて、様々なプラスチック製眼鏡枠が製造販売されている。その需要者の中には、金属アレルギーの人も含まれており、彼等にとってプラスチック枠の存在は非常に大きい。しかしながら、従来のプラスチック枠は、鼻梁とのフィット調節や、眼鏡の装着位置の調節ができない点で機能性に欠けており、需要者を充分に満足させることができなかった。
【００３３】
そこで、本発明のパッド面調節機構を活用すれば、掛け心地が快適で眼鏡の装着位置を容易に確定可能なプラスチック枠を低コストで作製することができる。これによって、眼鏡製造業者は市場に機能性と装飾性とを兼ね備えたプラスチック枠を廉価に提供することができ、需要者の購買意欲を一層高めることができると考えられるため、本発明の産業上の利用価値は非常に高いと云える。
【図面の簡単な説明】
【００３４】
【図１】本発明の第１実施形態のパッド面位置角度調節機構における全体斜視図である。
【図２】本発明の第１実施形態におけるフロントフレームに接着する前のノーズパッドを表わす斜視図である。
【図３】本発明の第１実施形態におけるノーズパッドを表わす縦断面図である。
【図４】本発明の第２実施形態におけるフロントフレームに接着する前のノーズパッドを表わす斜視図である。
【図５】本発明のノーズパッドに設ける貫通孔の変形例を表わす説明斜視図である。
【図６】従来におけるサドル型パッドを表わす説明斜視図である。
【符号の説明】
【００３５】
１  フロントフレーム
11  リム
12  ブリッジ
２  ノーズパッド
21  パッドアーム
22  曲げ代部
23  パッド面
24  貫通孔
Ｓ  サドル型パッド
【図１】
2006343433.tif 000003
【図２】
2006343433.tif 000004
【図３】
2006343433.tif 000005
【図４】
2006343433.tif 000006
【図５】
2006343433.tif 000007
【図６】
2006343433.tif 000008